(57)【要約】【課題】プリンタでの移送時に斜行が発生しても、ＯＣＲ読取り票の印字位置への影響を最小限に抑え、印字位置がズレることを防いで、ＯＣＲ読取り票の印字情報を正確に読み取り可能とした印字用単片帳票を提供する。【課題の解決手段】ＯＣＲ読取り票である払込取扱票８を備えた印字用単片帳票１は、表面にＯＣＲ読取り用印字欄１７を有する払込取扱票８と払込金受領証９とからなる払込票２と、表面に配送情報印字欄２３，２４をそれぞれ有する貼付票１１と配達票兼受領票１２とからなる配送票４と、買い上げ明細書３とで構成され、印字開始端側に払込取扱票８を配置してなる。【選択図】図１
2009023275.tif 000002
【特許請求の範囲】
【請求項１】
表面にＯＣＲ読取り用印字欄を有するＯＣＲ読取り票と表面に配送情報印字欄を有する配送票とを備えた印字用単片帳票であって、印字開始端側にＯＣＲ読取り票を配置してなることを特徴とする印字用単片帳票。
【発明の詳細な説明】
【技術分野】
【０００１】
本発明は、プリンタで配送情報などの情報を印字する単片の帳票に関し、特に、ＯＣＲ読取り票を備えた印字用の単片帳票に関する。
【背景技術】
【０００２】
従来、ＯＣＲ読取り票を備えた印字用帳票としては、単片状のものと、連続状のものとがあり、連続状の構成が一般的である（特許文献１）。連続状の印字用帳票の場合は、帳票の両側部のマージナル部に等間隔に多数設けたマージナル孔を移送用トラクタのピンに係合して移送しながらプリントするので、正確な移送作業及び印字作業が可能である。
【０００３】
一方、ＯＣＲ読取り票を備えた印字用帳票が単片状の場合には、プリンタの上下複数対の移送ローラによって移送するので、移送を正確に行うことは困難であり、印字用帳票が移送中に斜行してしまうことがしばしば生じる。この斜行（斜め方向へのズレ）が発生すると、あらかじめ予定された印字位置への正確な印字作業は困難になる。そして、この斜行による印字位置のズレは、印字開始端側（移送方向の先端側）ではほとんど見られず、印字終了端側（移送方向の後端側）に行くほど影響が大きいものである。そして、ＯＣＲ読取り票を備えた印字用帳票では、移送時の斜行によりＯＣＲ読取り票の印字位置がズレてしまうと、印字した情報の正確な読み取りが困難になる、という不都合があった。
【０００４】
【特許文献１】特開２０００−３１８３５０号公報
【発明の開示】
【発明が解決しようとする課題】
【０００５】
本発明は、このような事情に鑑みてなされたもので、移送時に斜行が発生しても、ＯＣＲ読取り票の印字位置への影響を最小限に抑え、印字位置がズレることを防いで、ＯＣＲ読取り票の正確な読み取りを可能にした印字用単片帳票を提供することを目的とする。
【課題を解決するための手段】
【０００６】
この目的を達成するために、本発明の請求項１に係るＯＣＲ読取り票を備えた印字用単片帳票は、表面にＯＣＲ読取り用印字欄を有するＯＣＲ読取り票と表面に配送情報印字欄を有する配送票とを備えた印字用単片帳票であって、印字開始端側にＯＣＲ読取り票を配置してなるものである。
【発明の効果】
【０００７】
本発明に係るＯＣＲ読取り票を備えた印字用単片帳票によれば、印字開始端側にＯＣＲ読取り票を配置することによって、ＯＣＲ読取り票の印字位置に対する斜行の影響を最小限に抑えることができ、印字位置がズレることを防いで、ＯＣＲ読取り票の正確な読み取りが可能になる、という効果を奏する。
【発明を実施するための最良の形態】
【０００８】
以下、本発明の好適な実施形態を添付図面に基づき説明する。ここにおいて、図１は印字用単片帳票の平面図、図２は図１のＡ−Ａ線断面図、図３は図１のＢ−Ｂ線断面図である。
【０００９】
図１に示すように、印字用単片帳票１は、払込票２と、買い上げ明細書３と配送票４とを、ミシン目５，６を介して切り離し可能に連接してなる。前記払込票２は、印字開始端側に位置し、ミシン目７で切り離し可能に設けたＯＣＲ読取り票である払込取扱票８と払込金受領証９とからなる。また、前記配送票４は、印字終了端側に位置し、スリット１０で区画形成した貼付票１１と配達票兼受領票１２とからなる。
【００１０】
図２及び図３に示すように、貼付票１１の裏面には粘着剤１３が設けられ、配達票兼受領票１２の裏面には剥離可能な接着剤１４が設けられている。そして、これら粘着剤１３と接着剤１４には剥離紙１５を剥離可能に接着している。
【００１１】
図１に示すように、払込取扱票８の表面には、「払込取扱票」なる表題１６と、口座番号、払込金額、払込先である加入者名、払込手数料、払込人の住所、氏名をそれぞれ記入する払込情報記入欄１７を設けている。この払込情報記入欄１７に印字する情報がＯＣＲで読取られるものであり、図１に示す払込取扱票８の表示事項はすべて、ＯＣＲで読み取れないドロップアウトカラーで印刷されている。一方、払込金受領証６の表面には、「払込金受領証」なる表題１８と、口座番号、加入者名、払込金額、払込人の住所、氏名をそれぞれ記入するとともに、受領印を捺印する払込金受領情報記入欄１９を設けている。
【００１２】
同じく図１に示すように、買い上げ明細書３の表面には、「お買い上げ明細書」なる表題２０と、商品名、単価、数量、金額、備考の各情報を記入する明細記入欄２１を設けている。
【００１３】
同じく図１に示すように、貼付票１１の表面には、「貼付票」なる表題２２と、届け先と依頼主の各住所、氏名及び品名を記入する配送情報記入欄２３を設けている。また、配達票兼受領票１２の表面には、「配達票兼受領票」なる表題２４と、届け先と依頼主の各住所、氏名及び品名を記入する各欄と受領印捺印欄とからなる配送品受領情報記入欄２５とを設けている。
【００１４】
本実施形態は以上のように構成したので、ＯＣＲ読取り票である払込取扱票８を備えた払込票２を先端側（印字開始端側）にしてプリンタにかけると、プリンタでの移送に際して、払込取扱票８の印字位置に対する斜行の影響を最小限に抑えることができ、印字位置がズレることを防ぐことができる。
【００１５】
また、印字の際に、印字用単片帳票１が挿入側と排出側で表裏反転されるプリンタの場合には、排出端側で表面側に位置する剥離紙１５は後端側に位置するので、剥離紙１５に先端側の払込票２がひっかかることなく、円滑に積み重ねられる。ここで、払込票２が先端側（印字開始端側）に配置されていないと、剥離紙１５が先端側に位置して移送されるので、この剥離紙１５により生じる段差に、続いて排出された印字用単片帳票１の配送票４がひっかかって、先に排出された配送票４上には重なることができないという不都合が生じてしまう。
【００１６】
なお、本発明は上述の実施形態に限定されるものではなく、ＯＣＲ読取り票は払込取扱票１６に限るものではない。また、払込金受領証９に対応する帳票を有することなく、払込取扱票８のようなＯＣＲ読取り票のみで、印字開始端側の帳票を構成することもできる。さらに、買い上げ明細書３は設けなくてもよい。
【図面の簡単な説明】
【００１７】
【図１】印字用単片帳票の平面図。
【図２】図１のＡ−Ａ線断面図。
【図３】図１のＢ−Ｂ線断面図。
【符号の説明】
【００１８】
１      印字用単片帳票
２      払込票
３      買い上げ明細書
４      配送票
５，６，７      ミシン目
８      払込取扱票
９      払込金受領証
１０      スリット
１１      貼付票
１２      配達票兼受領票
【図１】
2009023275.tif 000003
【図２】
2009023275.tif 000004
【図３】
2009023275.tif 000005